(57)【要約】      （修正有）【課題】従来の製造ラインを用いて粒状の装飾材とシート材とを固着可能とし、製造コストを殆ど上げることなく、隣接する粒状の装飾材の隙間を装飾することが出来る装飾シートを提供する。【解決手段】上面に立体的な粒状の装飾材を多数敷き詰めて定着し、下面に形成された粘着層を介して被装飾体の表面に貼着可能な装飾シートであって、該装飾シートに所望の色彩とデザインを有するデザイン層を配設し、定着された粒状の装飾材間から、デザイン層の色彩や、模様を表出させるようにした。【選択図】図１
0003141710.tif 000002
【実用新案登録請求の範囲】
【請求項１】
上面に立体的な粒状の装飾材を多数敷き詰めて定着し、下面に形成された粘着層を介して被装飾体の表面に貼着可能な装飾シートであって、該装飾シートに所望の色彩とデザインを有するデザイン層を配設し、定着された粒状の装飾材間から、デザイン層の色彩や、模様を表出させるようにしたことを特徴とする装飾シート。
【請求項２】
デザイン層が別体のデザインシートに形成され、装飾シートと積層して一体化されていることを特徴とする請求項１記載の装飾シート。
【請求項３】
デザイン層が、装飾シート上に直接形成されていることを特徴とする請求項１記載の装飾シート。
【考案の詳細な説明】
【技術分野】
【０００１】
本考案は、携帯電話等の被装飾体の表面に貼着して被装飾体を装飾するようにした装飾シートに関する。
【背景技術】
【０００２】
透明樹脂製で、下面が平坦で、上部が多面体状の立体形状に形成され、必要に応じて着色されたラインストーン、ビーズ等の粒状の装飾材を、下面に粘着層が形成された透明シートの上面に多数敷き詰めて定着し、下面の粘着層を剥離可能な剥離シートで保護してなる所謂デコレーションシールと称される装飾シートは、携帯電話をはじめとする携帯端末等の被装飾体の表面を、簡便且つ手軽に装飾出来るものとして、近年、若者や女性の間で広く愛用されている。
【０００３】
この装飾シートは、様々な色や形、大きさに形成された多数の粒状の装飾材を適宜に敷き詰めて構成されたシート状の装飾手段であり、所望のデザイン、サイズにカットして、被装飾体に貼着することにより、該被装飾体に所望の装飾を簡便且つ手軽に施すことが出来る。装飾シートは、被装飾体に対して、貼着、剥離を繰り返して行うことが出来、シートを適宜張り替えて携帯電話表面の装飾の変更が可能である。
【０００４】
携帯電話の表面にラインストーンやビーズ等の粒状の装飾材を張付ける装飾は、専門の装飾デザイナーが装飾材を携帯電話の表面に1個ずつ張付けて行っているが、これでは時間と費用が嵩むという問題があった。そこで、１枚の粘着シート上に予め装飾材を定着した装飾シートを大量生産方式で製作し、使用者は好みのデザインの装飾シートを購入して、携帯電話の表面のサイズ及び形状に対応してカットし、裏面の剥離シールを剥がして貼着している。
【０００５】
このような大量生産方式の装飾シートは、粒状の装飾材を収納する複数の孔を有する成形型を用いて貼着シール上に粒状の装飾材を定着して製作しているが、装飾材を収納する成形型の孔は、必然的に連続した孔ではなく個別に独立した孔となるため、貼着シール上に定着された粒状の装飾材間には、若干の隙間が存在している。かかる隙間は、装飾シートを貼着した際の仕上がりや見栄えが損なわれるという問題があった。
【考案の開示】
【考案が解決しようとする課題】
【０００６】
被装飾体に対して装飾シートを貼着した場合、粒状の装飾材の立体的な形状と色によって被装飾体が装飾され、見栄えする美麗な外観を得ることが出来るものの、粒状の装飾材間から、被装飾体の外側表面が透けて見えてしまうという問題があった。例えば、黒色の外側表面色を有する携帯電話を被装飾体として、これをパステルカラーを基調とする装飾シートで装飾した場合、被装飾体上において、各粒状の装飾材はパステルカラーで発色しているものの、粒状の装飾材間からは被装飾体のボディカラーである黒色が見えるため、全体の外観としては、暗いトーンで見栄えの悪い仕上がりになってしまっていた。
【０００７】
本考案は、上記問題点に鑑みてなされたものであり、従来の装飾シートを製造するための成形型をそのまま利用した製造を可能としつつ、隣接する粒状の装飾材間の存在による、見栄えや仕上がりの悪さを回避出来るようにした装飾シートを提供せんとするものである。
【課題を解決するための手段】
【０００８】
上記課題を解決するために本考案が採った手段は、上面に立体的な粒状の装飾材を多数敷き詰めて定着し、下面に形成された粘着層を介して被装飾体の表面に貼着可能な装飾シートであって、該装飾シートに所望の色彩とデザインを有するデザイン層を配設し、定着された粒状の装飾材間から、デザイン層の色彩や、模様を表出させるようにしたことを特徴とする。デザイン層は、装飾シート上に直接形成しても、別体のデザインシートに形成して装飾シートと一体化しても良い。前記粘着層の下面は、剥離可能な剥離シートで被覆、保護される。本考案の被装飾体は、携帯電話に限られるものではなく、ライター、手帳、容器、キーホルダー等種々の物品に適用することが出来る。
【０００９】
デザイン層が、装飾シートの上面に印刷等の手段により直接形成される場合には、装飾シートは不透明であっても良いが、下面にデザイン層が形成される場合には、装飾シートは透明体として下面のデザイン層を透視出来ることが必要となる。又、別体のデザインシートにデザイン層を形成し、装飾シートと積層して一体化する場合には、装飾シートは透明体であることが必要とされる。デザイン層を装飾シートとは別体のデザインシートに形成した場合、装飾シートとデザインシートとの組合せが可能となり、多様に変化した装飾シートを得ることが出来る。
【考案の効果】
【００１０】
本考案によれば、装飾シートを、従来と同様に成形型を用いた大量生産方式で製作可能としつつ、定着された粒状の装飾材間を所望の色彩やデザインで埋めて、隙間から携帯電話の表面の色彩や模様等が表出することによる見栄えや仕上がりの悪さを、回避することが可能となる。又、別体のデザインシートを用いた場合には、装飾シートとデザインシートとの組合せによる変化を得ることが出来、装飾シートの多様化を図ることが可能となる。
【考案を実施するための最良の形態】
【００１１】
以下に、本考案の好ましい実施の形態を添付図面を参照しながら詳細に説明する。本考案の装飾シート(10)は、図１に示すように、上面に粒状の装飾材(20)が多数敷き詰められて定着され、下面に粘着層が形成されたシート材からなる。粒状の装飾材は、透明若しくは着色されたラインストーン、ビーズ等の天然物或いは合成樹脂からなり、所望のデザインや模様を形成するように配置される。装飾シートには、所望の色彩とデザインを有するデザイン層(30)が配置される。デザイン層(30)は、装飾シート上に直接形成しても、別体のデザインシート(31)に形成して装飾シート(10)と一体化しても良い。前記粘着層の下面は、剥離可能な剥離シートで被覆、保護される。デザイン層は、装飾シート(10)に粒状の装飾材(20)で形成された模様や色彩に適合する色彩やデザインを有しており、粒状の装飾材(20)(20)間をデザイン層の色彩やデザインで埋めて、該間隙から携帯電話等の被装飾体(40)の表面が露出するのを防止し、見栄えの悪さや、仕上がりの悪さを解消する。本考案の被装飾体は、携帯電話に限られるものではなく、ライター、手帳、容器、キーホルダー等種々の物品に適用することが出来る。
【００１２】
図１〜４は、デザイン層(30)を装飾シート(10)とは別体のデザインシート(31)に形成した実施例を示すものである。デザインシート(31)は、透明若しくは不透明の好ましくはフィルム状のシートからなり、所望の色彩や模様を有する所望デザイン層(30)が予め印刷等の手段で施され、装飾シート(10)の下面に粘着剤等により一体に積層される。デザイン層(30)は、装飾シート(10)を被装飾体(40)に貼着した際に、各粒状の装飾材(20)(20)間から視認出来るように構成される。
【００１３】
デザインシート(31)には、樹脂シートや紙等を用いることが出来る。シート材が白色或いはそれ以外の有色の不透明素材である場合、デザイン層(30)はシートの上面に形成するが、デザインシート(31)が無色乃至有色の透明素材である場合には、デザイン層をシートの下面に施すことも出来る。デザイン層(30)は、必ずしも印刷等の手段に限られるものではない。装飾シート(10)は、デザインシート(31)の粘着剤により、被装飾体(40)に繰り返し貼着したり、剥離したりすることが可能である。
【００１４】
個々の粒状の装飾材(20)は、図１及び図３（ａ）に示すように、例えば下面が平坦で、上部が所定角度で回転対称な多面体形状に形成される透明樹脂製の部材からなり、多数の孔を有する成形型に逆さにして嵌め込んで保持され、透明シートを載置して各粒状の装飾材(20)と透明シートとを接着して装飾シート(10)を得る。適宜の色、形、大きさの粒状の装飾材(20)を多数配して所望の模様やデザインが形成される。
【００１５】
図３（ｂ）に示すように、デザインシート(31)には、装飾シート(10)に多数の粒状の装飾材(20)によって形成された立体デザインに対応した色彩と模様を有するデザイン層(30)が形成され、デザイン層(30)が、各粒状の装飾材(20)(20)間から視認され、立体デザインに対応した美麗な外観を得ることが出来る。デザインシート(31)の下面には、使用時に剥離される貼着可能な剥離シート(50)が貼着される。
【００１６】
以上のように構成される装飾シート(10)を使用する場合には、先ず、装飾シート(10)を被装飾体(40)のサイズや形状に合わせて鋏やカッター等で所望の形状にカットする。例えば、本実施態様のように、被装飾体(40)を携帯電話とする場合には、図４（ｂ）に示すように、携帯電話の外装カバーを象るように装飾シート(10)の周囲をカットすると共に、装飾シート(10)の略中央部に携帯電話の外装上の液晶表示部(41)を象って型抜くようにカットする。
【００１７】
被装飾体(40)である携帯電話の外装カバーに、剥離シート(50)を剥離して図４（ｃ）に示すように、被装飾体(40)である携帯電話の外装カバーに位置を合わせながら装飾シート(10)とデザインシート(31)と共に貼着する。装飾シート(10)は、貼着状態においても、粒状の装飾材(20)(20)間からは予め施されたデザイン層(30)を視認することが出来るので、被装飾体(40)である携帯電話の外装カバーのボディカラーが透けて見えることがなく、従来に無い外観を得ることが出来、貼着部位全体の装飾性を向上させることが出来る。
【００１８】
ただし、装飾シート(10)のデザイン層(30)やデザインシート(31)は、必ずしも不透明にする必要はなく、半透明や有色の透明状態にして被装飾体(40)のボディカラーが多少透けて見えるように構成しても良いことはいうまでもない。尚、被装飾体(40)に貼着した装飾シート(10)は、繰り返し剥離したり、貼着したりすることが可能であり、貼着に失敗した場合や張り替え時には容易に剥がすことが可能である。
【００１９】
以上説明したように、本考案の装飾シート(10)は、別体のデザインシート(31)に予め色柄等のデザイン層(30)を施し、装飾シート(10)と一体化するようにしてあるが、必ずしもこれに限られるものではない。図５，６は、他の実施例を示すものであり、各粒状の装飾材(20)(20)間からデザイン層(30)を視認することが出来、従来の生産方式をそのまま用いることが出来る。デザイン層(30)は、装飾シート(10)に直接配置される。デザイン層(30)は、装飾シート(10)の上面若しくは下面のいずれに形成されても良い。粒状の装飾材(20)はデザイン層(30)に対応して敷き詰められ、装飾シート(10)上に定着される。
【図面の簡単な説明】
【００２０】
【図１】本実施態様の装飾シートの断面図
【図２】同装飾シートの構成を示す分解斜視図
【図３】（ａ）透明シート上に粒状の装飾材を固着した状態を示す平面図、（ｂ）色柄のデザイン層を施してなるデザインシートの平面図、（ｃ）装飾シートとデザインシートとの積層状態を示す平面図
【図４】（ａ）本実施態様の装飾シートの斜視図、（ｂ）同装飾シートをカットして、剥離シートを剥離している状態を示す斜視図、（ｃ）同装飾シートを外装カバーに貼着した状態を示す斜視図
【図５】別の実施例の装飾シートの構成を示す分解斜視図
【図６】同装飾シートの断面図
【符号の説明】
【００２１】
１０  装飾シート
２０  粒状の装飾材
３０  デザイン層
３１  デザインシート
４０  被装飾体
４１  液晶表示部
５０  剥離シート
【図１】
0003141710.tif 000003
【図２】
0003141710.tif 000004
【図３】
0003141710.tif 000005
【図４】
0003141710.tif 000006
【図５】
0003141710.tif 000007
【図６】
0003141710.tif 000008